(57)【要約】      （修正有）【課題】カーテンの束ね止めが容易であるだけでなく、カーテンに種々の形態を持たせることができるカーテン用タッセルの提供。【解決手段】窓枠２近傍に固定された房掛け具３に一端がリング等１２を介して取り外し可能に掛け止められるタッセルの他端に、カーテンの少なくとも四分の一程度を挟持できる大型挟持式クリップ５を設け、上記房掛け具３に掛け止められる一端と挟持式クリップ５を備える他端との間の房部１０に、長さ調節用の複数の補助リング１４−１，１４−２を一定の間隔で配置すると、房掛け具３への掛け止めリングの選択により房部長さを調整し、かつ挟持式クリップでのカーテンの掴み位置の選択により、カーテン裾掴み上げ、ドレープカーテンの裾開き、カーテンの半開き位置から全開き位置の所望のいずれかの位置で束ね止めが可能である構造とした。【選択図】図５
2005323649.tif 000002
【特許請求の範囲】
【請求項１】
カーテン用タッセル１であって、窓枠２近傍に固定された房掛け具３に一端１１が留め具１２を介して取り外し可能に掛け止められ、他端１３にカーテン４の少なくとも四分の一程度を挟持できる大型挟持式クリップ５を備え、上記房掛け具３に掛け止められる一端１１と挟持式クリップ５を備える他端１３との間の所定長さの房部１０を有し、長さ調節用の複数の補助留め具１４−１，１４−２が一定の間隔で配置され、房掛け具３への留め具１２または補助留め具１４−１、１４−２の選択により房掛け具から挟持式クリップ５までの長さを調整し、かつ挟持式クリップでのカーテンの掴み位置の選択により、カーテン裾掴み上げ、ドレープカーテンの裾開き、カーテンの半開き位置から全開き位置の所望のいずれかの位置で束ね止めが可能としたことを特徴とするカーテン用タッセル。
【請求項２】
上記挟持式クリップ５が、環状体を二分割した一対の湾曲した挟持部５１と該一対の挟持部をヒンジ結合するヒンジ部５２と該一対の挟持部に常閉付勢力を付与するバネ手段５３を備える請求項１記載のカーテン用タッセル。
【請求項３】
上記挟持式クリップ５が、環状体を二分割し、一方の分割部を前方に延ばした突出部５１ａを備える一対の湾曲したくちばし状挟持部５１と該一対の挟持部をヒンジ結合するヒンジ部５２と該一対の挟持部に常閉付勢力を付与するバネ手段５３を備える請求項１記載のカーテン用タッセル。
【請求項４】
上記挟持式クリップ５が、球状体を二分割し、一対の半球状挟持部５１と該一対の挟持部をヒンジ結合するヒンジ部５２と該一対の挟持部に常閉付勢力を付与するバネ手段５３を備える請求項１記載のカーテン用タッセル。
【発明の詳細な説明】
【技術分野】
【０００１】
本発明は、カーテンに種々の形態を持たせることができるカーテン用タッセルに関するものである。
【背景技術】
【０００２】
従来のカーテン用タッセルは図６に示すように、全開したカーテンを束ね止めするにすぎないもので、タッセル１は両端に留め具を備え，窓枠２近傍に固定された房掛け具３に一端が取り外し可能に掛け止められ、他端をカーテンを束ねるように回してこれを房掛け具３に掛け止め，束ね止めが行われる。したがって、カーテンの束ね様式は面倒であるだけでなく、常にこの一様式で変わり映えしない。
【特許文献１】実開平０５−４６３８６号公報
【発明の開示】
【発明が解決しようとする課題】
【０００３】
しかしながら、室内の掃除をする時はカーテンを束ねるだけでなく、裾を吊し上げることができると、便利である。また、ドレープカーテンでは上部を閉じ、中間から裾にかけて徐々に開くようにすると装飾的に優れる。また、半開き位置から全開き位置の状態のいずれにおいてもこの状態のカーテンをそれに応じて束ねることができれば、望ましい。しかもカーテンの束ね止めが簡単にできるのが望ましい。
【課題を解決するための手段】
【０００４】
そこで、本発明者は、図６に示すような従来のカーテン用タッセルの概念にとらわれることなく、鋭意検討の結果、窓枠２近傍に固定された房掛け具３に一端１１がリング等１２を介して取り外し可能に掛け止められるタッセルの他端に、カーテン４の少なくとも四分の一程度を挟持できる大型挟持式クリップ５を設け、上記房掛け具３に掛け止められる一端１１と挟持式クリップ５を備える他端１３との間の房部１０に、長さ調節用の複数の補助リング１４−１，１４−２を一定の間隔で配置すると、カーテンの束ね止めがきわめて容易であるだけでなく、房掛け具３への掛け止めリングの選択により房部長さを調整し、かつ挟持式クリップでのカーテンの掴み位置の選択により、カーテン裾掴み上げ、ドレープカーテンの裾開き、カーテンの半開き位置から全開き位置の所望のいずれかの位置で束ね止めが可能であることを見い出し、本件カーテン用タッセルを発明するに至った。
すなわち、本発明のカーテン用タッセルは、窓枠近傍に固定された房掛け具に一端が留め具を介して取り外し可能に掛け止められ、他端にカーテンの少なくとも四分の一程度を挟持できる大型挟持式クリップを備え、上記房掛け具に掛け止められる一端と挟持式クリップを備える他端との間の所定長さの房部を有し、長さ調節用の複数の補助留め具が一定の間隔で配置され、房掛け具への留め具または補助留め具の選択により房掛け具から挟持式クリップまでの長さを調整し、かつ挟持式クリップでのカーテンの掴み位置の選択により、カーテン裾掴み上げ、ドレープカーテンの裾開き、カーテンの半開き位置から全開き位置の所望のいずれかの位置で束ね止めが可能としたことを特徴とする。
【発明の効果】
【０００５】
本発明によれば、従来のカーテン用タッセルの機能を持つだけでなく、そのカーテンの束ね止めがカーテンの端をクリップで摘むことにより簡単に行える。また、房掛け具への掛け止めリングの選択により房部長さを調整し、かつ挟持式クリップでのカーテンの掴み位置の選択により、例えばカーテン裾掴み上げ、ドレープカーテンの裾開き、カーテンの半開きから全開きの所望のいずれかの位置で束ね止めが可能であるから、カーテン用タッセルの機能性を一気に向上させることができる。
【発明を実施するための最良の形態】
【０００６】
本発明に係るカーテン用タッセルは以下の代表的な４種類を用いて説明するが、かかる具体例に限られるものでない。
図１ではカーテン用タッセル１は、全長３０から５０センチの鎖房１０の一端１１にリング留め具１２が取り付けられ、他端１３にはカーテン４の少なくとも四分の一程度を挟持できる大型挟持式クリップ５を備え、上記房掛け具３に掛け止められる一端１１と挟持式クリップ５を備える他端１３との間の房部１０には、長さ調節用の複数の補助留め具１４−１，１４−２が１０センチの間隔で配置されている。
【０００７】
上記挟持式クリップ５は、図１では扁平な環状体を二分割した一対の湾曲した挟持部５１をヒンジ部５２でヒンジ結合し、該一対の挟持部にバネ手段５３で常閉付勢力を付与するとともに、つまみにより一対の挟持部５１，５１を開放できるようになっている。なお，５４は飾り房である。
【０００８】
図２では上記挟持式クリップ５が、環状体を二分割し、一方の分割部を前方に延ばした突出部５１ａを備える一対の湾曲したくちばし状挟持部５１を備え、該一対の挟持部をヒンジ部５２でヒンジ結合し、該一対の挟持部にバネ手段５３で常閉付勢力を付与するとともに、つまみにより一対の挟持部５１，５１を開放できるようになっている。このクリップではくちばし状突出部５１ａと内方の環状部とからなるので，図１のものよりカーテンの一部を挟持する場合に的確に行える。
【０００９】
図３では，上記挟持式クリップ５は、図１の扁平な環状体が真環状体をなし，二分割した一対の湾曲した挟持部５１をヒンジ部５２でヒンジ結合し、該一対の挟持部にバネ手段５３で常閉付勢力を付与するとともに、つまみにより一対の挟持部５１，５１を開放できるようになっている。この場合図１の場合に比してカーテン生地が厚手の場合に挟持力に優れる。
【００１０】
図４では，上記挟持式クリップ５が、球状体を二分割し、一対の半球状挟持部５１と該一対の挟持部をヒンジ結合するヒンジ部５２と該一対の挟持部に常閉付勢力を付与するバネ手段５３を備える。上記球状体の挟持面は図４（ｂ）に示すように、ゴム弾性体凹凸面を形成するのが把持力に優れる。
【００１１】
上記本件発明のカーテン用タッセル１では窓枠２近傍に固定された房掛け具３に一端１１が留め具１２を介して取り外し可能に掛け止められ、他端１３に取り付けられたカーテン４の少なくとも四分の一程度を挟持できる大型挟持式クリップ５でカーテンの一部または全部を把持する。
【００１２】
上記房掛け具３に掛け止められる一端１１と挟持式クリップ５を備える他端１３との間の房部１０は所定長さを有するので、長さ調節用の複数の補助留め具１４−１，１４−２が一定の間隔で配置されている。補助留め具は房部１０の長さによって必要に応じて複数個取り付ければよい。
【００１３】
図５（ａ）はカーテン半開き位置で，カーテンを束ねる場合の具体例を示しており，房掛け具３への留め具１２を掛け，房部１０の全長を利用して挟持式クリップ５でカーテンの端部を挟持することにより、束ね留めして保持した状態を示している。
【００１４】
図５（ｂ）はカーテン全開き位置で，カーテンを束ね留める場合の具体例を示しており，房掛け具３への補助留め具１４−２を掛け，房部１０の最短長を利用して挟持式クリップ５でカーテンの端部を挟持して保持した状態を示している。
【００１５】
図５（ｃ）はカーテン全開き位置で，カーテンを裾掴み上げる場合の具体例を示しており，房掛け具３への補助留め具１４−１を掛け，房部１０の中間長を利用して挟持式クリップ５でカーテンの裾端部を挟持して保持した状態を示している。
【００１６】
いずれの保持状態もクリップ５でカーテンの所望の端部を挟持することにより極めて簡単に所定の束ね持ち状態を形成できるので、従来のカーテン用タッセルより使い勝手がよい。
【産業上の利用可能性】
【００１７】
上記本発明のカーテン用タッセルは従来の機能（図５（ｂ）参照）を持つだけでなく、房掛け具への掛け止めリングの選択により房部長さを調整し、かつ挟持式クリップでのカーテンの掴み位置の選択により、例えばカーテン裾掴み上げ（図５（ｃ）参照）、ドレープカーテンの裾開き、カーテンの半開きから全開きの所望のいずれかの位置で束ね止めが可能である
【図面の簡単な説明】
【００１８】
【図１】本発明のカーテン用タッセルの第１実施例を示す斜視図である。
【図２】本発明のカーテン用タッセルの第２実施例を示す斜視図である。
【図３】本発明のカーテン用タッセルの第３実施例を示す斜視図である。
【図４】本発明のカーテン用タッセルの第４実施例の閉鎖状態（ａ）および開放状態（ｂ）を示す斜視図である。
【図５】本発明のカーテン用タッセルの使用状態を示す斜視図で，（ａ）は半開き状態，（ｂ）は全開き状態，（ｃ）は裾上げ状態を示す。
【図６】従来のカーテン用タッセルの使用状態を斜視図である。
【符号の説明】
【００１９】
１  カーテン用タッセル
３  房掛け具
４  カーテン
５  挟持式クリップ
１０  房部
１２  留め具
１４  補助留め具
【図１】
2005323649.tif 000003
【図２】
2005323649.tif 000004
【図３】
2005323649.tif 000005
【図４】
2005323649.tif 000006
【図５】
2005323649.tif 000007
【図６】
2005323649.tif 000008